(57)【要約】      （修正有）【課題】小体積、挟持力の均等化、コスト削減、製造の簡便化を可能にする電源コンセントの導電片を提供する。【解決手段】電源コンセントの導電片は、少なくとも一つの弾性挟持片２０を設け、弾性挟持片２０は縦方向の中央板２１を備え、中央板２１の一端を直接、側面方向に折り曲げて第一湾曲板２２を形成することにより、中央板２１と第一湾曲板２２の間に、横方向の挿入溝２４，２５を形成する。また、中央板２１のもう一端の下部エッジもしくは上部エッジを更に折り曲げて、第二湾曲板２３を形成し、第二湾曲板２３を中央板２１と平行させ、並びに、縦方向の端部と中央板方向に挿入溝を形成する。これにより、コンセントに多方向の差し込みが可能となる。【選択図】図１
0003151063.tif 000002
【実用新案登録請求の範囲】
【請求項１】
少なくとも一つの弾性挟持片を設け、前記弾性挟持片は縦方向の中央板を備え、中央板の一端を直接、側面方向に折り曲げて第一湾曲板を形成することにより、中央板と第一湾曲板の間に、横方向の挿入溝を形成し、前記中央板の別一端の下部エッジもしくは上部エッジを更に折り曲げて第二湾曲板を形成し、前記第二湾曲板と中央板とは平行し、並びに、縦方向の端部と中央板方向に挿入溝を形成することを特徴とする電源コンセントの導電片。
【請求項２】
前記中央板において、第一湾曲板及び第二湾曲板に形成した挿入溝の開口箇所には、それぞれ対応する誘導突出片を形成することを特徴とする請求項１記載の電源コンセントの導電片。
【請求項３】
前記第一湾曲板の高度は中央板の高度より低いことを特徴とする請求項１記載の電源コンセントの導電片。
【請求項４】
前記第二湾曲板の高度は中央板の高度より低いことを特徴とする請求項１記載の電源コンセントの導電片。
【請求項５】
前記弾性挟持片末端とフレーム体を連接して比較的長い構造体を形成することを特徴とする請求項１記載の電源コンセントの導電片。
【請求項６】
前記弾性挟持片とフレーム体の間に折り曲げ角度を備えることを特徴とする請求項５記載の電源コンセントの導電片。
【請求項７】
前記第一湾曲板と第二湾曲板はそれぞれ中央板の両側に位置することを特徴とする請求項１記載の電源コンセントの導電片。
【請求項８】
前記第一湾曲板と第二湾曲板は何れも中央板の同一側に位置することを特徴とする請求項１記載の電源コンセントの導電片。
【請求項９】
前記弾性挟持片の中央板後端を更に延伸させて挿入連結片を設置し、しかも挿入連結片の末端には挿入孔をスタンピングプレス加工することを特徴とする請求項１記載の電源コンセントの導電片。
【請求項１０】
前記弾性挟持片の中央板と挿入連結片間には更に折り曲げ板を形成することを特徴とする請求項９記載の電源コンセントの導電片。
【考案の詳細な説明】
【技術分野】
【０００１】
電源コンセントの導電片は、導電片自身に多方向の挟持を備え、プラグに多方向の差し込みを提供するもので、小体積、挟持力の均等化、コスト削減、製造の簡便化を可能にする導電片に関するものである。
【背景技術】
【０００２】
電源コンセントの大半は、長方形体（図５参照）を形成しており、空間節約の為に長方形体の電源コンセント上の最低二面に差し込み口３１、差し込み口３２を設けている。前記コンセント内の差し込み口３１、差し込み口３２に対応する箇所には、導電片を設け、導電片は、一端を電源に接続し、もう一方には弾性挟持部を備え、電器製品のプラグを挟み込み連結する。
【０００３】
導電片において、公知のものの多くは、細長いΩ形をしているが、一つの導電片は、一方向の差し込みに適するだけで、多方向に設置したい場合、それぞれを単独による多数の導電片製作が必要となり、空間を占拠するだけでなく、導電片の銅材料を多く使用し、製造における装着も比較的複雑になる為、コスト及び困難度を向上させることが欠点である。
【０００４】
特許文献１の『多方向挿入式コンセントの導電片』の説明によると、それは主に、プラグの挿入足を挟み込み制御する部位を備え、前記挟み込み制御部位は、二つの挟み込み制御片を備える。少なくとも一つの挟み込み制御片の片体は、更に湾曲し返して別の挟み込み制御片を延伸させ、挟み込み制御片とその湾曲し返した挟み込み制御片は、また、別の挟み込み部位を形成する。主に、導電片の接触端を連続的に折り曲げて、概ね湾曲したＳ形構造体の如し側面を形成することにより、Ｓ形構造体の一端面及び側面にそれぞれ差し込むことができる。
【０００５】
しかし、この種の構造は、最も初期に使用された公知技術であるΩ形構造体をＳ形構造に取り替えてプラグを挟み込んだものの、製造及び使用においてやはり次のような欠点が存在する。
（１）導電片の一端を連続湾曲させて最低二つの挟み込み部位を形成、即ち連続するＳ形構造体を形成するが、スタンピング過程が非常に複雑で、大幅にスライド体スタンピングの複雑性を高め、不良率を向上させ、実用性には問題点が残る。
（２）単純なＳ形構造体は、その前端部に誘導作用を備えるが、側面方向（即ち前面をＳ形端として形成）は誘導構造が不足しており、差し込み時、スムーズでないことがよくある。
（３）前述した通り、側面方向（即ち正面にＳ形を形成）の挿入端の挟持力は、導電片を反対に折り曲げた側面に挿入する故、導電片の挟み込み挿入力はプラグの差し込み片に対して力を掛ける方向の挟持ではなく、弾力性が弱く、コンセント上の差し込み口の一方がきつく、一方が緩い現象が起き、それもまた欠点となっている。
【０００６】
前述に示す通り、特許及び実用新案の構造は、依然として完全ではなく、公知プラグに必要な、挟持力の平均化、小体積、製造の便利性、コスト削減等の目的を果たしてはいない。そこで本考案者は、社会の希望に叶うよう研究を続けている。
【先行技術文献】
【特許文献】
【０００７】
【特許文献１】台湾特許公示第５２５８３５号明細書
【考案の概要】
【考案が解決しようとする課題】
【０００８】
本考案の主な目的は、多方向差し込みコンセント用の導電片を提供することにあり、主に、異なる方向の何れかに第一湾曲板及び第二湾曲板を設け、異なる挿入溝を形成するものであり、挿入溝は、湾曲板の湾曲方向に関するだけで、その挟持力を増強させ、同時に、構造を精密で簡単にしてコスト削減、挟持力増強等の目的を達成する。
【０００９】
本考案のもう一つの目的は、弾性挟持片の挿入溝開口端の何れにも誘導突出片を形成し、プラグを挿入溝に進入させる誘導をよりスムーズにすることにある。
【００１０】
本考案の更にもう一つの目的は、第一湾曲板と第二湾曲板の高度を中央板の高度より低くする故、第一湾曲板と第二湾曲板には更に良好な弾性を持たせられ、しかも中央板にも強度を具えさせ、弾性と強度を整合して、その何れをも向上させる特徴を有することにある。
【課題を解決するための手段】
【００１１】
請求項１の考案は、少なくとも一つの弾性挟持片を設け、前記弾性挟持片は縦方向の中央板を備え、中央板の一端を直接、側面方向に折り曲げて第一湾曲板を形成することにより、中央板と第一湾曲板の間に、横方向の挿入溝を形成し、前記中央板の別一端の下部エッジもしくは上部エッジを更に折り曲げて第二湾曲板を形成し、前記第二湾曲板と中央板とは平行し、並びに、縦方向の端部と中央板方向に挿入溝を形成することを特徴とする電源コンセントの導電片としている。
請求項２の考案は、前記中央板において、第一湾曲板及び第二湾曲板に形成した挿入溝の開口箇所には、それぞれ対応する誘導突出片を形成することを特徴とする請求項１記載の電源コンセントの導電片としている。
請求項３の考案は、前記第一湾曲板の高度は中央板の高度より低いことを特徴とする請求項１記載の電源コンセントの導電片としている。
請求項４の考案は、前記第二湾曲板の高度は中央板の高度より低いことを特徴とする請求項１記載の電源コンセントの導電片としている。
請求項５の考案は、前記弾性挟持片末端とフレーム体を連接して比較的長い構造体を形成することを特徴とする請求項１記載の電源コンセントの導電片としている。
請求項６の考案は、前記弾性挟持片とフレーム体の間に折り曲げ角度を備えることを特徴とする請求項５記載の電源コンセントの導電片としている。
請求項７の考案は、前記第一湾曲板と第二湾曲板はそれぞれ中央板の両側に位置することを特徴とする請求項１記載の電源コンセントの導電片としている。
請求項８の考案は、前記第一湾曲板と第二湾曲板は何れも中央板の同一側に位置することを特徴とする請求項１記載の電源コンセントの導電片としている。
請求項９の考案は、前記弾性挟持片の中央板後端を更に延伸させて挿入連結片を設置し、しかも挿入連結片の末端には挿入孔をスタンピングプレス加工することを特徴とする請求項１記載の電源コンセントの導電片としている。
請求項１０の考案は、前記弾性挟持片の中央板と挿入連結片間には更に折り曲げ板を形成することを特徴とする請求項９記載の電源コンセントの導電片としている。
【考案の効果】
【００１２】
本考案は、公知の基本構造を改善し、前記特徴と効果を有し、産業上の利用価値を備え、しかも市場では未公開であり、実用新案での新規性という条件を満たす故、実用新案出願の条件に符合する故、実用新案法の規定に基づき貴庁に出願を行う。
【図面の簡単な説明】
【００１３】
【図１】本考案の立体外観図である。
【図２】本考案の別の角度から見た外観図である。
【図３】本考案の正面図である。
【図４】本考案の平面図である。
【図５】本考案をコンセント内部に実施し作製した二立体面の何れも差し込み可能な実施例図である。
【図６】本考案を長いコンセントに実施した構造の分解図である。
【図７】本考案を短いコンセントに実施した構造の分解図である。
【図８】本考案の導電片に関する第二の構造図である。
【図９】本考案の第二の導電片に関する実施図である。
【考案を実施するための形態】
【００１４】
本考案の内容を明確に御理解戴く為に、次の通り、図面を組み合わせた説明を行う。
【００１５】
図１、図２に示す通り、本考案の導電片は少なくとも弾性挟持片２０を設け、弾性挟持片２０は縦方向の中央板２１を備え、中央板２１の一端を直接、側面方向（左右どちらでもよい）に折り曲げ、第一湾曲板２２を形成し、図１及び図３に示す通り、中央板２１と第一湾曲板２２の間に、挿入溝２４を形成する。また、中央板２１のもう一端の下部エッジ（上部エッジ）は更に折り曲げて、第二湾曲板２３を形成し、第二湾曲板２３は中央板２１と平行とし、図１、３、４に示す通り、縦方向の端部と中央板２１方向に挿入溝２５を形成する。
【００１６】
前記中央板２１において、第一湾曲板２２及び第二湾曲板２３に形成した挿入溝２４、挿入溝２５箇所には、それぞれ対応する誘導突出片２１０、誘導突出片２１１、誘導突出片２２０、誘導突出片２３０を形成し、プラグ（未図示）を挿入溝２４、挿入溝２５に進入させる誘導を更にスムーズにする。
【００１７】
図３、図４の正面及び上面の構造図に示した通り、第一湾曲板２２と第二湾曲板２３の高度ｔ１、高度ｔ２は中央板２１の高度ｔ３より低い故、第一湾曲板２２と第二湾曲板２３には更に良好な弾性を持たせられ、中央板２１に強度を具えさせることが可能となる。
【００１８】
図１、図６に示す通り、本考案の導電片は、弾性挟持片２０の構造の他、コンセントの形状に基づき、弾性挟持片２０末端に直接、フレーム体１０を連接する。言い換えれば、フレーム体１０上に、複数の突出部１１をスタンピングプレス加工して弾性挟持片２０に連接させる。また、弾性挟持片２０とフレーム体１０の間には良好な角度を持たせる。即ち、突出部１１と弾性挟持片２０の間には更に湾曲角１１０を設けて、導電片全体に、フレーム形の構造体を形成し、長短の異なるコンセントに適合させる（図５、図７参照）。図６、図７に示す通り、本考案の導電片を実施する場合、コンセントの外殻３０の最低両側面に差し込み口３１、差し込み口３２を設けるか、図７に示す通り、下方にプラグのような電源挿入片４０を設けて別のコンセントに接続する。
【００１９】
図１、図２に示す通り、第一湾曲板２２及び第二湾曲板２３は、それぞれ中央板２１の両側に位置させるが、その上下左右との交換もまた、本考案の範囲に含むものとする。また、第一湾曲板２２及び第二湾曲板２３は、高度差を使って中央板２１の同一側に位置させることも可能である。
【００２０】
図８に示す通り、本考案の弾性挟持片２０後端の下部エッジを更に延伸させて挿入連結片２７を設置することも可能であり、挿入連結片２７の末端には挿入孔２８をスタンピングプレス加工する。前述の設計は、図９に示した長形状のコンセントに便利に応用でき、外殻３０内には複数の切り替えスイッチ３３を設け、挿入連結片２７は挿入孔２８によって切り替えスイッチ３３の接続点３３０に接続することにより、それぞれが弾性挟持片２０上の供給電力を制御する。図８に示す通り、弾性挟持片２０末端の挿入連結片２７は、異なる角度を具えて延伸することが可能であり、中央板２１と挿入連結片２７間には折り曲げ板２６を形成して、回路全体の配置を更に正確に、スペースを節約させる。
【００２１】
本考案の実施において、公知と比較すると、下記の長所がある。
（１）本考案の導電片は弾性挟持片２０を設計し、それぞれが一端を左方向もしくは右方向に折り返して第一湾曲板２２を形成し、並びに、別の一端を上方向もしくは下方向に折り曲げて第二湾曲板２３を形成し、また、二つの挿入溝２５を形成し、第一湾曲板２２及び第二湾曲板２３は、挿入溝２５方向の開口端方向に挟み込みを行う故、挟持力が均等化し優れている点が本考案の長所である。
（２）本考案の弾性挟持片２０の挿入溝２５開口端には、何れにも誘導突出片を形成し、プラグを挿入溝２５に進入させる誘導をよりスムーズにする点が本考案の長所である。
（３）本考案の第一湾曲板２２及び第一湾曲板２３は何れも、只一回の折り曲げである故、加工は難しくなく、公知の複雑な構造を大幅に改善し、コスト削減、不良率減少が可能となる点が本考案の長所である。
（４）本考案の第一湾曲板２２と第二湾曲板２３の高度は、中央板２１の高度より低い故、第一湾曲板２２と第二湾曲板２３には更に良好な弾性を持たせられ、しかも中央板２１にもまた強度を具えさせることが可能となり、弾性と強度を整合し、その何れをも向上させる長所を持つ。
（５）本考案の弾性挟持片２０末端には、挿入連結片２７と切り替えスイッチ３３を連結することも可能であり、これによって、プラグ全体の配線を更に優れたものにする。
【００２２】
前述したものは、本考案の実施例に過ぎず、本考案の実施範囲を限定するものではない。よって、当該技術の熟知者によって為される同等効果もしくは簡単な変化、即ち、第一湾曲板及び第二湾曲板の方向変換、コンセントの長短大小の変更、或いはプラグなど公知技術の増加等本考案の精神と範囲を逸脱せずに実施された同等価値の変化や修飾は全て、本考案の実用新案請求の範囲内に含まれることをここに明記する。
【符号の説明】
【００２３】
１０    フレーム体
１１    突出部
１１０  湾曲角
２０    弾性挟持片
２１    中央板
２１０  誘導突出片
２１１  誘導突出片
２２    第一湾曲板
２２０  誘導突出片
２３    第二湾曲板
２３０  誘導突出片
２４    挿入溝
２５    挿入溝
２６    折り曲げ板
２７    挿入連結片
２８    挿入孔
３０    外殻
３１    差し込み口
３２    差し込み口
３３    切り替えスイッチ
３３０  接続点
４０    電源挿入片
ｔ１    高度
ｔ２    高度
ｔ３    高度
【図１】
0003151063.tif 000003
【図２】
0003151063.tif 000004
【図３】
0003151063.tif 000005
【図４】
0003151063.tif 000006
【図５】
0003151063.tif 000007
【図６】
0003151063.tif 000008
【図７】
0003151063.tif 000009
【図８】
0003151063.tif 000010
【図９】
0003151063.tif 000011